(57)【特許請求の範囲】
【請求項１】
屋外で用いられる屋外型配電盤において、
電気機器を収納する箱状の筐体の側面に設けた開閉扉の上方に、水の浸入を防止するための防水板を前記筐体の側面と前記開閉扉の上端面とに跨って配置し、
前記防水板は、側断面視で略Ｖの字状に折れ曲がったばね性の板材からなり、前記防水板の一端部は、前記開閉扉の上方の前記筐体の側面に固定されており、固定された位置から側断面視で斜め下方に傾斜して折れ曲がり部において前記開閉扉の上端面に当接し、前記折れ曲がり部から他端部に向けて斜め上方に延びており、閉じた状態の前記開閉扉の上端面を前記折れ曲がり部を介して下方に押し付け付勢するとともに、前記折れ曲がり部から他端部に向けて斜め上方に延びることで、他端部が開閉扉の開閉操作に干渉するのを回避するものであることを特徴とする屋外型配電盤。
【発明の詳細な説明】
【技術分野】
【０００１】
本発明は、屋外などに設置して用いられる屋外型配電盤に関するものである。
【背景技術】
【０００２】
従来、屋外などに設置される屋外型配電盤が知られている（例えば、特許文献１または２を参照）。図２は、一般的な屋外型配電盤の側断面図を示したものである。この図に示すように、屋外型配電盤１は、屋根板２と正面扉３Ａと背面扉３Ｂとベースチャンネル４とを備えた箱状の筐体からなる。この屋外型配電盤１の内部には、遮断器５Ａ、変流器５Ｂおよび電力ケーブル５Ｃ、図示しない制御機器などを含む電気機器が収納されている。
【０００３】
正面扉３Ａ、背面扉３Ｂが設置される筐体の開口部の周縁には、通常、雨水の浸入を防止するための水きり構造として、枠状の水切りフレームが設けられている。この水きりフレームに対して正面扉３Ａ、背面扉３Ｂの裏面の周縁に貼り付けたパッキンを密着させて、正面扉３Ａ、背面扉３Ｂから筐体の内部に雨水が浸入するのを防止している。この防水構造について、図３を用いてより具体的に説明する。
【０００４】
図３は、図２のＡ部分（屋根庇部分）の拡大図である。この図に示すように、枠体フレーム６によって、正面扉３Ａ側の筐体の側面に矩形状の開口部が形成されている。この開口部の周縁（４辺）には水切りフレーム７が溶接などにより取り付けられており、正面扉３Ａから浸入してきた雨水が開口部から筐体の内部に入り込むのを防止している。また、正面扉３Ａの裏面の矩形状の周縁（４辺）にはパッキン８が貼り付けられており、正面扉３Ａを閉じた状態では、パッキン８の表面は水切りフレーム７の表面に当接して密着している。このパッキン８によって、水切りフレーム７に到った雨水が、筐体の内部まで入り込まないように防止している。なお、屋根庇部分には、通気用の孔が多数あけられた通気用孔板９Ａと、雨返し用の塞ぎ板９Ｂとが設けられている。
【０００５】
このように、従来の屋外型配電盤においては、筐体の扉の周縁部に水切りフレームのような水きり構造を設けるとともに、水切り構造に対してパッキンを密着することで、扉から筐体の内部に入り込もうとする水の浸入を防止していた。
【先行技術文献】
【特許文献】
【０００６】
【特許文献１】特開２０１０−８１７３０号公報
【特許文献２】特開２０１３−９４０１３号公報
【発明の概要】
【発明が解決しようとする課題】
【０００７】
ところで、風などの影響により大量の雨水が巻き込まれるようにして扉上部に入り込んだ場合には、上記の従来の水切り構造とパッキンによる防水構造だけでは防ぎきれず、水切り構造に到った雨水が、まれに屋外型配電盤の内部にまで浸入してくることがあった。このため、風が強いような設置環境であっても、雨水の浸入を防ぐことのできる構造が求められていた。
【０００８】
本発明は、上記に鑑みてなされたものであって、雨水などの浸入に対する防水性能を高めた屋外型配電盤を提供することを目的とする。
【課題を解決するための手段】
【０００９】
上記した課題を解決し、目的を達成するために、本発明に係る屋外型配電盤は、屋外で用いられる屋外型配電盤において、電気機器を収納する箱状の筐体の側面に設けた開閉扉の上方に、水の浸入を防止するための防水板を前記筐体の側面と前記開閉扉の上端面とに跨って配置したことを特徴とする。
【００１０】
また、本発明に係る他の屋外型配電盤は、上述した発明において、前記防水板は、閉じた状態の前記開閉扉の上端面を下方に押し付け付勢するばね性の板材からなることを特徴とする。
【発明の効果】
【００１１】
本発明に係る屋外型配電盤によれば、屋外で用いられる屋外型配電盤において、電気機器を収納する箱状の筐体の側面に設けた開閉扉の上方に、水の浸入を防止するための防水板を前記筐体の側面と前記開閉扉の上端面とに跨って配置したので、筐体の外被部分で雨水の浸入を防止することが可能となり、開閉扉の内側のパッキンの貼り付け状態や、筐体の内部の水切りフレームの面（板金）精度に依存しないかたちで、筐体の内部への雨水の浸入を防止することができる。したがって、本発明によれば、雨水などの浸入に対する防水性能を高めることができるという効果を奏する。
【図面の簡単な説明】
【００１２】
【図１】図１は、本発明に係る屋外型配電盤の実施の形態を示す側断面図である。
【図２】図２は、従来の一般的な屋外型配電盤を示す側断面図である。
【図３】図３は、図２のＡ部分の拡大図である。
【発明を実施するための形態】
【００１３】
以下に、本発明に係る屋外型配電盤の実施の形態を図面に基づいて詳細に説明する。なお、この実施の形態によりこの発明が限定されるものではない。
【００１４】
本実施の形態に係る屋外型配電盤は、図２に示した従来の一般的な屋外型配電盤１とほぼ同様な箱状のものであって、屋根板と正面扉と背面扉とベースチャンネルとを備えた筐体を有している。図１は、本実施の形態に係る屋外型配電盤を示したものであり、従来の図３（図２のＡ部分）に対応する図である。
【００１５】
図１に示すように、本実施の形態に係る屋外型配電盤１０は、図３に示した従来の屋根型配電盤１と同様に、図示しない電気機器を収納する箱状の筐体１２を有している。筐体１２の上面１２ａには屋根板１４が設けられ、正面１２ｂ（側面）には正面扉１６（開閉扉）が開閉可能に取り付けられている。
【００１６】
筐体１２の内面には枠体フレーム１８が設けられ、この枠体フレーム１８によって、筐体１２の正面１２ｂに矩形状の開口部が形成されている。この開口部の周縁（４辺）には水切りフレーム２０が溶接などにより取り付けられており、正面扉１６から浸入してきた雨水が開口部から筐体１２の内部に入り込むのを防止している。
【００１７】
また、正面扉１６の裏面の矩形状の周縁（４辺）にはパッキン２２が貼り付けられており、正面扉１６を閉じた状態では、パッキン２２の表面は水切りフレーム２０の表面に当接して密着している。このパッキン２２によって、水切りフレーム２０に到った雨水が、筐体１２の内部まで入り込まないように防止している。
【００１８】
なお、屋根板１４と前面板２６とによって構成される屋根庇部分２４には、上記の従来の屋外型配電盤１と同様に、通気用の孔が多数あけられた通気用孔板２８と、雨返し用の塞ぎ板３０とが設けられている。
【００１９】
ここで、本実施の形態に係る屋外型配電盤１０においては、正面扉１６の上方に、水の浸入を防止するための防水板３２が、筐体１２の正面１２ｂと正面扉１６の上端面１６ａとに跨って配置されている。
【００２０】
防水板３２は、側断面視で略Ｖの字状に折れ曲がった板材である。防水板３２の一端部３２ａは、正面扉１６の上方の筐体１２の正面１２ｂにボルト３４を介して固定されている。この防水板３２は、側断面視で正面１２ｂの位置から斜め下方に傾斜して略中央の折れ曲がり部３２ｂにおいて正面扉１６の上端面１６ａに当接し、そこから他端部３２ｃに向けて斜め上方に延びている。他端部３２ｃは、正面扉１６の外表面よりも若干外側に突き出した位置に配置される。
【００２１】
この防水板３２としては、閉じた状態の正面扉１６の上端面１６ａを、折れ曲がり部３２ｂを介して下方に押し付け付勢するばね性の鋼材で構成することが好ましい。正面扉１６の上端面１６ａに当接する折れ曲がり部３２ｂが、上端面１６ａを押し付け付勢することで、当接する折れ曲がり部３２ｂと上端面１６ａとの間の密着性が向上し、防水性能が高められる。
【００２２】
防水板３２を設けることで、外部から正面扉１６の上端に到った水は防水板３２によって浸入を阻まれ、筐体１２の内部への雨水の浸入を防止することができる。また、他端部３２ｃが正面扉１６の外表面よりも若干外側に突き出した位置に配置されることで、防水板３２に到った雨水は、正面扉１６の外表面よりも若干外側に突き出した位置の他端部３２ｃから下方に滴り落ちる。このため、滴り落ちた水が正面扉１６の外表面や上端面１６ａに付着するのを回避することができる。また、防水板３２が折れ曲がり部３２ｂから他端部３２ｃに向けて斜め上方に延びることで、他端部３２ｃが正面扉１６の開閉操作に干渉するのを回避することができる。
【００２３】
このように、防水板３２を設けた筐体１２の外被部分で雨水の浸入を効果的に防止することが可能となり、正面扉１６の内側のパッキン２２の貼り付け状態や、筐体１２の開口部の水切りフレーム２０の面精度（板金精度）に依存しないかたちで、筐体１２の内部への雨水の浸入を防止することができる。したがって、本実施の形態によれば、雨水などの浸入に対する防水性能を高めることができるという効果を奏する。
【００２４】
また、上記の従来の防水構造では、図３に示すように、最終的にはパッキン８にて雨水の浸入を防止しているが、その防水性能は、パッキン８の貼り付け状態や、パッキン８が当たる水切りフレーム７の面精度（板金精度）に依存していた。強い風によって巻き込むようにして大量の雨水が開閉扉の上方から浸入した場合には、上記の従来の水切りフレーム７とパッキン８とによる防水構造では防ぎきれない。
【００２５】
これに対し、本発明によれば、ばね性の防水板３２を、筐体１２の正面１２ｂと正面扉１６の上端面１６ａとに跨って配置することで、筐体１２の外被部分で雨水の浸入を未然に防止することが可能となり、パッキン２２の貼り付け状態や、水切りフレーム２０の面精度（板金精度）に依存しないかたちで、筐体１２の内部への雨水の浸入を防止することができる。
【００２６】
なお、上記の実施の形態においては、開閉扉として正面扉の場合を例にとり説明したが、本発明はこれに限るものではなく、筐体の背面に設けられる背面扉や、筐体の左または右側面に設けられる側面扉に適用することも可能であり、いずれにしても上記の実施の形態と同様な作用効果を奏することができる。
【００２７】
以上説明したように、本発明に係る屋外型配電盤によれば、屋外で用いられる屋外型配電盤において、電気機器を収納する箱状の筐体の側面に設けた開閉扉の上方に、水の浸入を防止するための防水板を前記筐体の側面と前記開閉扉の上端面とに跨って配置したので、筐体の外被部分で雨水の浸入を防止することが可能となり、開閉扉の内側のパッキンの貼り付け状態や、筐体の内部の水切りフレームの面（板金）精度に依存しないかたちで、筐体の内部への雨水の浸入を防止することができる。したがって、本発明によれば、雨水などの浸入に対する防水性能を高めることができる。
【産業上の利用可能性】
【００２８】
以上のように、本発明に係る屋外型配電盤は、屋外などに設置して用いられる屋外型配電盤に有用であり、特に、開閉扉の上端近傍において、雨水などの浸入に対する防水性能を高めるのに適している。
【符号の説明】
【００２９】
１０  屋外型配電盤
１２  筐体
１２ａ  上面
１２ｂ  正面（側面）
１４  屋根板
１６  正面扉（開閉扉）
１６ａ  上端面
１８  枠体フレーム
２０  水切りフレーム
２２  パッキン
２４  屋根庇部分
２６  前面板
２８  通気用孔板
３０  塞ぎ板
３２  防水板
３２ａ  一端部
３２ｂ  折れ曲がり部
３２ｃ  他端部
３４  ボルト
【図１】
0006398428.tif 000002
【図２】
0006398428.tif 000003
【図３】
0006398428.tif 000004